(57)【要約】【課題】 簡単な構造からなる平面反射回転式警告表示灯を提供する。【解決手段】回転式反射光源を利用して閃光効果を形成する警告表示灯において、ランプ台１内部にはＬＥＤからなる光源部１３を具えた設置空間を形成し、該設置空間の光源部下方にはモーターを備えた駆動装置２を設けて、光源部を回転させ、さらに該光源部に対して反射体３を配置する。反射体は調整回転軸を介して平面鏡からなる反射部を取り付けて、光源部のＬＥＤの発光を適宜の角度で反射する。【選択図】図１
0003127523.tif 000002
【実用新案登録請求の範囲】
【請求項１】
閃光効果を形成する警告表示灯であって、ランプ台、光源部、受動部、駆動装置、及び反射体から構成し、
該ランプ台内部をこれら受動部、光源部、該駆動装置、反射体を設ける設置空間とし、
該ランプ台の設置空間内に光源部及びモーターにより回転駆動される受動部を設置して、該受動部上に該光源部に相対して平面状反射面を具えた反射体を設置した、
ことを特徴とする平面反射回転式警告表示灯。
【請求項２】
前記ランプ台内部には光源部を支持する固定フレームを設置し、該光源部は１個以上の光源から構成すると共に、該反射体下方、上方又は該反射体の側辺に設置した、
ことを特徴とする請求項１記載の平面反射回転式警告表示灯。
【請求項３】
前記ランプ台内部の光源部は、複数のLEDランプ又はLEDチップから構成すると共に該光源部をこれらの駆動回路を具えた電気プラットフォーム上に固設し、該光源部を該設置空間内の駆動装置側方に配置すると共に、
モーター駆動の伝動機構をギア、スプラインとギア、ベルトとプーリー、チェインとスプロケットからなる機構により駆動方向を光源の配置面と垂直とした、
ことを特徴とする請求項１記載の平面反射回転式警告表示灯。
【考案の詳細な説明】
【技術分野】
【０００１】
本考案は、一種の平面反射回転式警告表示灯に関する。特に、回転式反射光源を利用し閃光効果を有する警告表示灯で、良好な反射効果、明晰で明確な光による警告表示を達成する平面反射回転式警告表示灯に係る。
【背景技術】
【０００２】
警告表示灯は、回転閃光の警告表示作用を具えるため、警告表示が必要な多くの場所に運用されている。それは工事現場、危険な橋梁、道路、フェンス、柵などの固定式、或いは救急車、警察車、巡邏車などの移動式の場合があるが、ある種の宣伝広告看板にも警告表示灯の装飾効果が採用され、警告表示灯の使用範囲は日ごとに拡大している。
図９、１０に示すように、公知の警告表示灯は、電動ベースA中央底部に大ギアA１を設置し、該大ギアA１は小ギアモーターセットA２に噛み合う。該大ギアA１上には光反射プレートBとタングステンフィラメントランプB１を設けて、光透過カバーCにより該電動ベースA上方を覆う。こうして該電動ベースAの小ギアモーターA２を介して該ギアA１を駆動し、これにより該大ギアA１上の光反射プレートB、ランプB１を回転し、警告表示作用を達成する。
【特許文献１】特開平１１−８５０８０号公報
【考案の開示】
【考案が解決しようとする課題】
【０００３】
公知構造には以下の欠点があった。
すなわち公知の警告表示灯は、廉価なタングステンランプを発光源として使用するが、該タングステンランプは発熱し易く、回路板と電子パーツの使用寿命に影響を及ぼすため、故障率を高めてしまう。よってしばしばメンテナンスを行うか、或いはランプを交換しなければならず、かえって高いランニングコストがかかってしまう。さらに該ランプは、消費電力量が高いため、一般の警告表示灯が電源に使用する接続するバッテリー、乾電池などの使用時間は短くなってしまい、タイミングよく交換しなければ、警告表示効果に容易に影響を及ぼす。加えて、該ランプの反射に用いる光反射プレートは円盤状であるため、該ランプの光が該光反射プレート上に投射されると、不規則な乱反射を形成し反射光の散乱を招く。これでは視覚効果は不良で、かつ見る人の視覚に一次的に眩惑を起こさせ正視できなくしてしまう。しかも、上記構造の他にLED灯を警告表示灯の光源とする構造でも、該LED灯の光は直接外へと投射されるが、輝度は不十分で、アピール度は低く、警告表示灯としての機能を充分に発揮することはできない。
本考案は上記構造の問題点を解決した平面反射回転式警告表示灯を提供するものである。
【課題を解決するための手段】
【０００４】
上記課題を解決するため、本考案は下記の平面反射回転式警告表示灯を提供する。
それは平面反射回転式警告表示灯であって、
ランプ台内部にＬＥＤからなる光源部を具えた設置空間を形成し、該設置空間の光源部下方には駆動装置を設置し、該駆動装置は受動部を連動して回転させ、さらに該受動部上には反射部を固設し、該反射部は該光源部に相対して光源からの光を反射する。ＬＥＤ灯は方向性を持つ光集中特性を具え、反射体の平面式反射部に対応し光源を反射し、光のロスを低減し、さらに該受動部により反射体の回転を連動し、該反射体は回転の過程において光源部の光を反射し、反射光は散乱せず、乱反射によって眩惑することはなく、良好な反射効果と明晰かつ明確な警告表示機能を達成し、見る人の視線に影響を及ぼすことはなく、
さらにそれは、警告表示灯のランプ台上に設置する光源部はLED、表面接着型LEDなどの発光体で、使用時にも発熱しにくく、使用寿命が長く、故障率は低く、
またそれは、警告表示灯の反射体は予定角度の４５°傾斜状(或いは他の必要な角度)で、LED灯上方に設置し、LED灯の光を反射体の反射部に投射後、LED灯と９０°方向を呈し外に向けて光を投射し、こうして警告表示灯の反射効果は良好であって、より一層明晰、明確となることを特徴とする平面反射回転式警告表示灯である。
【考案の効果】
【０００５】
上記のように、本考案警告表示等の光源部は、複数のLED灯を光源として使用し、しかも該複数のLED灯は低消費電力、長時間の使用によっても発熱しない、使用寿命が長いなどの長所を具え、故障率が低いため、メンテナンス或いは交換をしばしば行う必要はなく、コストパフォーマンスが高い。しかも、該複数のLED灯の消費電力量が低いため、警告表示灯が接続するバッテリー、乾電池の使用時間は非常に長く、電源の交換までに充分な時間があり、警告表示灯の警告表示効果に悪影響を及ぼす恐れはない。さらに、警告表示灯は平板式の反射体を利用して光を反射するため、光は垂直式の反射を呈し、重複或いは乱反射することがなく、光は明晰、明確で警告表示効果は非常に高い。また警告表示灯内の反射体において該反射部と該複数のLED灯は９０°の垂直を呈するため、該複数のLED灯の光は外側へと投射され、最適の警告表示灯発光効果を達成し、明晰に識別でき、警告表示灯のアピール度を向上させることができるため、遠距離にいる人もはっきりと警告表示灯の位置を見ることができ、安全効果を高めることができる。
【考案を実施するための最良の形態】
【０００６】
図１、２、３に示すように、本考案の警告表示灯はランプ台１、駆動装置２、反射体３により構成する。
該ランプ台１内部には設置空間１１を形成し、該設置空間１１内には固定フレーム１２を設置する。該固定フレーム１２上方には光源部１３を固設し、該光源部１３は内部に回路を設置した電気プラットフォーム１３１を設置する。こうして、該電気プラットフォーム１３１により電源(バッテリー、乾電池、市販電力など)に電気的に接続し、さらに該電気プラットフォーム１３１上には複数のLED灯１３２を設置する。
該駆動装置２にはモーター２１を設置し、該モーター２１は伝動部２２を介して受動部２３に接続する。
該反射体３は、平面状の停止、定位部３１を具え、該定位部３１の片側には傾斜角度調整回転軸３１１を具え、該調整回転軸３１１から斜めに延伸する反射部３２を回動可能に設置する。該反射部３２は片側或いは両側表面に光線を反射可能な平面式光反射面３２１を設ける。
【０００７】
上記構成部品を組み合わせる時、該ランプ台１の設置空間１１内に該駆動装置２を設置し、該ランプ台１の光源部１３下方には該駆動装置２の受動部２３が回転可能に設置される。該受動部２３上には該反射体３の定位部３１を固定して該反射体３の反射部３２を該光源部１３に対応させ、該調整回転軸３１により該反射部３２の傾斜角度を適切な角度(４５°傾斜状、或いは他の必要な角度)に調整する。こうして該反射部３２の光反射面３２１は該光源部１３の方を向いて光源からの光を反射し、警告表示灯を構成する。
【０００８】
該ランプ台１の光源部１３は、該電気プラットフォーム１３１上に複数のLED灯１３２、表面接着型LEDなどの発光体を配置する。これらのLED灯１３２は消費電力が少なく、長時間の使用によっても発熱せず、使用寿命が長いなどの長所を具える。さらに、該各LED灯１３２は、方向性を持った光集中特性を具え、該反射体３の平面式反射部３２により光を反射するため、光のロスを低下させることができ、かつ該複数のLED灯１３２の輝度を向上させることができる。こうして警告表示灯のメンテナンス、交換回数を低減可能である。
該駆動装置２の伝動部２２と受動部２３は相互に連動するギア、スプラインとギア、ベルトとプーリー、チェインとスプロケットなどの動力伝動設備である。
【０００９】
次に図３、４に示すように、本考案の警告表示灯は使用時、該ランプ台１の光源部１３を電源に接続し、該光源部１３の複数のLED灯１３２が発光する。該駆動装置２のモーター２１は該伝動部２２を駆動し、該伝動部２２により該受動部２３の回転を連動し、該受動部２３上の反射体２３も該受動部２３に従い一緒に回転する。
該反射体３の反射部３２は、該光反射面３２１により該光源部１３上の複数のLED灯１３２の光を反射し、該駆動装置２の回転動作により、閃光式の警告表示灯を形成する。該複数のLED灯１３２上方において該反射体３は４５°の傾斜を呈するため、該複数のLED灯１３２の光は該反射体３の光反射面３２１に投射された後、該複数のLED灯１３２と９０°の方向で側方に向かって投射される。該反射体３は、平面状で、該各LED灯１３２は方向性を持った光集中特性を具えるため、該反射体３の平面式反射部３２を対応させ光を反射することで、光のロスを低減可能である。また光を反射する時に光線の散乱を引起さないため、反射光により一次的な眩惑状態を招く恐れはなく、反射光は明晰、明確な光表示効果を達成し、見る人の視線に悪影響を及ぼすことはない。
しかも該反射体３の定位部３１片側の調整回転軸３１１により、該反射部３２は該各LED灯１３２の位置或いは個数に対応して、適当な角度に調整し該複数のLED灯１３２の光を反射することができる。また該反射体３の反射部３２に対応し、該ランプ台１の設置空間１１内には、それぞれ１個或いは１個以上の光源部１３を設置可能で、こうして警告表示灯は異なる輝度の警告表示効果を発揮することができる。
【００１０】
続いて図４、５、６に示すように、本考案の別種の実施例では、該警告表示灯は複数のLED灯１３２の光源部１３を４５°に傾斜した反射体３下方に設置し(図４参照)、或いは該複数のLED灯１３２を該反射体３上方に設置し(図５参照)、或いは該複数のLED灯１３２を該反射体３の上方と下方にそれぞれ設置する(図６参照)ことができる。
こうして、該複数のLED灯１３２の光は４５°傾斜状の反射体３の反射部３２に投射され、該反射部３２は該複数のLED灯１３２と９０°を呈する垂直方向で外側へと投射され、良好な警告表示効果と明確な識別の目的を達成することができる。同時に警告表示灯のアピール度も上がり、離れた所にいる人もはっきりと警告表示灯位置を見ることができるようになり、安全に対する警告表示効果を向上させることができる。
【００１１】
さらに図７、８に示すように、本考案警告表示灯の別種の実施例では、該ランプ台１の設置空間１１内において、該駆動装置２と垂直な(９０°)側辺に光源部１３を固設することができる。これにより該光源部１３の複数のLED灯１３２は該設置空間１１側辺において上下垂直式に配列し、該光源部１３と該駆動装置２は垂直(９０°)に配置され、該駆動装置２は該受動部２３上の反射体３において該受動部２３と垂直状(９０°)を形成する。
こうして該複数のLED灯１３２に通電し発光すると、その光は該反射体３の平面式光反射面３２１上に直接投射される。該駆動装置２はモーター２１により該伝動部２２の回転を連動し、該伝動部２２は該受動部２３の回転を連動し、これにより該受動部２３上の反射体３は該受動部２３の回転に従い、該複数のLED灯１３２が該反射体３の平面式光反射面３２１に投射する光は、該ランプ台１を通して外へと投射され、閃光式の警告表示灯を形成する。しかも、該反射対３は、該調整回転軸３１１によって使用者が必要とする角度に調整可能で、最適な反射警告表示効果を達成することができる。
さらに該ランプ台１の設置空間１１内には、該反射体３の両側に対応してそれぞれ光源部１３を設置する。こうして２個の光源部１３上の複数のLED灯１３２を利用し、光を該反射体３の反射部３２に投射し、該反射部３２両側の平面式光反射面３２１により光を該ランプ台１外に反射する。また該光源部１３の複数のLED灯１３２の光は平面式光反射面３２１に投射された後、該平面式光反射面３２１上において直角(９０°)に光を反射し、該各LED灯１３２は方向性を持つ光集中特性を具えるため、該反射体３の平面式反射部３２の反射を対応させ、光のロスを低減することができる。こうして警告表示灯はよりいっそう明晰となり、アピール度も向上し、識別し易い閃光警告表示作用を達成する。
該設置空間１１内の該反射体３に対応する側に、１個或いは１個以上の光源部１３を設置することもでき、こうして警告表示灯の光の輝度を調整することができる。
本考案は主に警告表示灯の光源を複数のLED灯とし、しかも反射体を平板状とし、該複数のLED灯の光を垂直に反射させ、光を明晰、明確にすることを主要な保護項目とする。これにより警告表示灯は閃光警告表示作用を発生する時、より明確な光を発することができ、見る人の視線に影響を及ぼさす、反射光は重複、乱射しないため一次的眩惑を起こす恐れもない。
【図面の簡単な説明】
【００１２】
【図１】本考案の立体外観図である。
【図２】本考案駆動装置の立体外観図である。
【図３】本考案の側面断面図である。
【図４】本考案最適実施例の側面断面図である。
【図５】本考案別種の実施例の側面断面図である。
【図６】本考案さらに別種の実施例の側面断面図である。
【図７】本考案またさらに別種の実施例の側面断面図である。
【図８】本考案またさらに別種の最適実施例の側面断面図である。
【図９】公知の警告表示灯の立体外観図である。
【図１０】公知の警告表示灯の側面断面図である。
【符号の説明】
【００１３】
１  ランプ台
１１  設置空間
１３１  電気プラットフォーム
１２  固定フレーム
１３２  LED灯
１３  光源部
２  駆動装置
２１  モーター
２２  伝動部
２３  受動部
３  反射体
３１  定位部
３２  反射部
３１１  調整回転軸
３２１  光反射面
A  電動ベース
A１  大ギア
A２  小ギアモーターセット
B  光反射プレート
B１  ランプ
C  光透過カバー
【図１】
0003127523.tif 000003
【図２】
0003127523.tif 000004
【図３】
0003127523.tif 000005
【図４】
0003127523.tif 000006
【図５】
0003127523.tif 000007
【図６】
0003127523.tif 000008
【図７】
0003127523.tif 000009
【図８】
0003127523.tif 000010
【図９】
0003127523.tif 000011
【図１０】
0003127523.tif 000012